(57)【要約】【課題】  パソコン本体における各種の電子素子及び周辺機器を配置することによってパソコン本体を最小限に実現する。【解決手段】  パソコン本体の体積を最小限に決める方法及びその方法を応用するパソコン本体は光ディスク装置と放熱デバイスとを並列させることにより、パソコン本体の長さと幅を定義し、かつ光ディスク装置と最高電子素子の縦列によりパソコン本体の高さを定義する。更に、この長さ、幅、高さのサイズの関係によって、メインボードにおける各電子素子の配置関係と、メインボードと光ディスク装置、放熱デバイスとの間の配置関係を決め、それによりパソコン本体体積を最小限にする最適なデザインを得ることができる。【選択図】  図１
2007102758.tif 000002
【特許請求の範囲】
【請求項１】
パソコン本体体積を最小限に決める方法であって、
パソコン本体により利用される複数の電子素子、複数の周辺機器、少なくとも一つの光ディスク装置及び少なくとも一つのハードディスク及び少なくとも一つの放熱デバイスを決める工程と、
前記光ディスク装置及び前記放熱デバイスを並列に設けることによって長さと幅とを決める工程と、
前記長さと前記幅とによりメインボードの面積を規定する工程と、
前記メインボード上に前記複数の電子素子を配置する工程と、
前記光ディスク装置と前記複数の電子素子に配置されるうちの最高の電子素子の縦列によって高さを決める工程と、
前記長さ、前記幅及び前記高さにより前記メインボード、前記複数の電子素子、前記複数の周辺機器、前記光ディスク装置、前記ハードディスク及び前記放熱デバイスを収納できる本体ケースを設計する工程を含むことを特徴とするパソコン本体体積を最小限に決める方法。
【請求項２】
前記方法はノートパソコンの仕様に合う前記複数の電子素子と、前記複数の周辺機器と、前記光ディスク装置及び前記ハードディスクを利用することを特徴とする請求項１に記載のパソコン本体体積を最小限に決める方法。
【請求項３】
ノートパソコンの仕様に合う中央演算処理装置と、少なくとも一つの電子素子と、放熱デバイスと、及び光ディスク装置を利用し、前記中央演算処理装置と前記電子素子がメインボードに配置され、前記放熱デバイスが前記中央演算処理装置に対応し、前記光ディスク装置が前記電子素子に対応し、前記放熱デバイスが前記光ディスク装置と並列して設けられ、前記光ディスク装置が前記電子素子の上に設置され、前記メインボード、前記中央演算処理装置、前記電子素子、前記放熱デバイス及び前記光ディスク装置が本体ケース内に配置されることを特徴とする請求項１に記載のパソコン本体体積を最小限に決める方法。
【請求項４】
前記メインボードに設けられる前記電子素子はメモリモジュールで前記メモリモジュールは複数の電子素子における最高の素子であることを特徴とする請求項3に記載のパソコン本体体積を最小限に決める方法。
【請求項５】
前記メインボードの面積は前記放熱デバイスと前記光ディスク装置とを並列させることにより定義される面積であることを特徴とする請求項3に記載のパソコン本体体積を最小限に決める方法。
【請求項６】
本体ケースの高さは前記電子素子と前記光ディスク装置の縦列の高さよりわずかに高いことを特徴とする請求項3に記載のパソコン本体体積を最小限に決める方法。
【請求項７】
前記光ディスク装置が支持台に設けられることを特徴とする請求項3に記載のパソコン本体体積を最小限に決める方法。
【請求項８】
前記支持台がハードディスクを組み立てることを特徴とする請求項7に記載のパソコン本体体積を最小限に決める方法。
【請求項９】
前記本体ケースは下ケースと上カバーとからなり、前記上カバーは摺動によって前記下ケースに結合されていることを特徴とする請求項3に記載のパソコン本体体積を最小限に決める方法。
【請求項１０】
前記上カバー内側には複数の結合柱が含まれ、前記結合柱の端末は係合部を有し、前記下ケースは前記結合柱に対応する複数の結合部を含有し、前記上カバーが前記下ケースで水平に摺動し前記下ケースを覆うと共に、前記係合部を結合部に挿入させることを特徴とする請求項9に記載のパソコン本体体積を最小限に決める方法。
【請求項１１】
前記上カバーにさらに複数のナットホール柱を設け、ナットホール柱の上にナットホールを設置し、前記下ケースに複数の上カバーのナットホールに対応するナットホールを設け、前記係合部を結合部に差し込んでネジで下ケースのナットホールから上カバーのナットホールに止めることによって固着されることを特徴とする請求項9に記載のパソコン本体体積を最小限に決める方法。
【発明の詳細な説明】
【技術分野】
【０００１】
本発明はパソコン本体体積を最小限に決める方法に関し、特にパソコン本体における各種の電子素子及び周辺機器を配置することによってパソコン本体の小型化を実現する。
【背景技術】
【０００２】
従来のデスクトップパソコンはメインボード、プロセッサ、メモリ、ハードディスク、光ディスク装置、電源サプライヤ、周辺インターフェイス、入出力ポート及びパソコンケースなどの部件を主に備えている。プロセッサと言えば、プロセッサのメーカー（例えばＩＮＴＥＬ、ＡＭＤ）によりデスクトップパソコンプロセッサとノートパソコンプロセッサ（例えばＩＮＴＥＬ社によるＰｅｎｔｉｕｍ(登録商標)プロセッサとＰｅｎｔｉｕｍ(登録商標)-Ｍプロセッサ）とがそれぞれ開発されている。デスクトップパソコンのメーカーは、プロセッサメーカーが決めた仕様に応じて、メインボードにおける各電子素子（例えば中央演算処理装置、サウスブリッジチップ、ノースブリッジチップ、メモリなど）の配置関係を決める。一方、デスクトップパソコンに適用される他の周辺機器（例えばハードディスク、光ディスク装置、電源サプライヤ、周辺インターフェイス（例えばビデオカード、ネットカードなど））もデスクトップパソコンの仕様を取り入れ、メインボードと各種の電子素子と各種の周辺機器をすべてパソコンケースに納めている。例えば従来の直立型パソコンケースは約Ｌ４５・Ｗ１９・Ｈ４０（ＣＭ）であり（例えばアメリカ特許第６３８２７４４号、アメリカ特許第Ｄ４７３５５５号など）、その中のメインボードはパソコンケース内に直立しており、ハードディスクや光ディスク装置などの周辺機器はパソコンケースにおける支持台内に設けられる。パソコンケースは体積が大きく、解体できるので、今後のメンテナンスやその中の電子素子や周辺機器のアップグレードと交換も可能である。しかし、このような直立型パソコンケースは、ネジでハードディスクや光ディスク装置の周辺機器に締め付けられ、支持台外の側板に設置される場合が多く、着脱するには多数のネジが必要となり、着脱も困難である。
【０００３】
なお、多くのパソコン使用者からすれば、誰でもパソコンのメンテナンスやアップグレード交換ができるわけではなく巨大なパソコンケースは十分に利用されなかった。したがって、あるメーカーはほかの態様のデスクトップパソコン・ベアボーンを開発した。ベアボーン（Ｂａｒｅｂｏｎｅ）は、ミニパソコン（Ｍｉｎｉ ＰＣ）又は小型パソコン（ＳＳＦ、Ｓｍａｌｌ Ｆｏｒｍ Ｆａｃｔｏｒ）とも言い、メインボード、グラフィックカード、ネットカード、電源サプライヤを集積すると共に、ＵＳＢ、ＩＥＥＥ１３９４などの接続ポートをすべてサイズが約Ｌ２０・Ｗ３０・Ｈ２３（ＣＭ）のパソコンケース内に設置する。（例えばアメリカ公開第２００３００１６４９４号、アメリカ公開第２００５００７８４４２号）。そして、ベアボーンが使用した各種の電子素子及び各種周辺機器もデスクトップパソコンの仕様を取り入れ、すべての電子素子及び周辺機器を体積の小さいパソコンケース内に集積することで、体積が小さく、システムの整合性が高いなどの利点を持つ。しかも、パソコンケースの体積が小さいので、ミラー外観のデザインにより、応接室やベットルームなどの場所に置いても良く、しかも、ベアボーンマルチメディアを応用することによって、一台のマルチメディアパソコンになる。
【０００４】
同様に、ベアボーンもネジでハードディスクや光ディスク装置の周辺機器に締め付けられ、支持台外の側板に設置される場合が多いので、着脱するには多数のネジが必要となり、着脱も困難である。
【０００５】
科学技術の絶え間ない進歩により、ノートパソコンの機能と価格はデスクトップパソコンに劣っておらず、デスクトップパソコンのメーカーがベアボーンのような小型デスクトップパソコンを開発しても、依然として一定の体積があり、ノートパソコンの機能と価格がデスクトップパソコンと同等、さらにはよくなる場合、ノートパソコンは携帯できるという特性により、一般のパソコンユーザーが優先的にノートパソコンを選択することとなる。デスクトップパソコンは、中央演算処理装置（ＣＰＵ）の処理機能或いは作業システムに対して改善しつつあるが、デスクトップパソコンは、体積が大きく、新しい応用性が不足しているので、ノートパソコンがデスクトップパソコンに取って代わるという流れを変えることは難しい。デスクトップパソコンが完全にノートパソコンに取って代わられようにデスクトップパソコンのメーカーはパソコン使用者に新たな選択を提供できるように、さらなる小型化、新規性或いはマルチメディアに応用できるなどの工夫しなければならない。
【発明の開示】
【発明が解決しようとする課題】
【０００６】
現在、従来のデスクトップパソコン、又は従来の直立型デスクトップパソコンの二分の一よりも小さいベアボーンで用いられるプロセッサ、メモリ又は光ディスク装置などの電子素子或いはデバイスは、デスクトップパソコンの仕様を取り入れている。そして現在のデスクトップパソコンシステムに制限されるため、体積の小型化に限界があり、デザインナーの開発空間も制限されている。そのため、本発明は、ノートパソコンの仕様に合う各種電子素子及び周辺機器を取り入れることによりデスクトップパソコンシステムを構成するパソコン本体を提出した。
【課題を解決するための手段】
【０００７】
本発明に記載のパソコン本体体積を最小限に決める方法及びその方法を応用するパソコン本体によれば、ノートパソコンの仕様に合う中央演算処理装置、メモリモジュール、放熱デバイス及び光ディスク装置などの電子素子及び周辺機器を取り入れ、そして、光ディスク装置と放熱デバイスとを並列させることにより、パソコン本体の最小長さと最小幅が規定され、メインボードの面積が最小長さと最小幅により構成される最小面積より小さくなる。又、この最小面積に基づき、メインボードにおける中央演算処理装置、サウスブリッジチップ、ノースブリッジチップ、メモリ及び入出力ポートなど、パソコンシステムを構成する電子素子の配置関係を配列すると共に、メモリモジュールと光ディスク装置を直列させることにより、パソコン本体の最小高さが規定される。この長さ、幅、高さのサイズ関係に基づき、メインボード、各種の電子素子及び周辺機器が収容できるパソコンケースを決める。このようにして、パソコン本体体積最小化のデザインが得られる。このパソコンケースは、下ケースとカバーとからなり、すべての電子素子が下ケースに収納され、カバーは、摺動方式で本体ケースに結合されるため、ネジが減少し、組み立ても容易になる。
【０００８】
本発明記載のパソコン本体体積を最小限に決める方法及びその方法を応用するパソコン本体によれば、ノートパソコンの仕様に合う各種の電子素子及び周辺機器を取り入れることで、パソコン本体の電子素子及び周辺機器を採用する。そして、まず、体積を最大に占める電子素子及び周辺機器を検討した上で、パソコン本体体積を決める。このような体積に合わせ、それぞれの電子素子及び周辺機器の配置関係を新たに配列する。実際に応用すれば、約Ｌ２２.６・Ｗ１７.２・Ｈ４.２（ＣＭ）のパソコン体積が得られ、従来の直立型デスクトップパソコン体積の約五分の一、かつ、従来のベアボーン体積の約三分の一になり、パソコン本体体積小型化の最適のデザインが得られる。
【発明の効果】
【０００９】
パソコン本体における各種の電子素子及び周辺機器を配置することによってパソコン本体の小型化を実現する。
本発明の特徴と性能については、図面を参考として最適な実施例を詳しく説明する。
【発明を実施するための最良の形態】
【００１０】
本発明記載のパソコン本体体積を最小限に決める方法及びその方法を応用するパソコン本体によれば、パソコン本体は、ディスプレイ、キーボード、マウスなどのパソコン周辺機器が接続されており、使用者が所定のコマンドを入力して所定の動作を実行すると共にディスプレイに表示させる電子データ処理デバイスである。以下、本発明に係る具体的な実施例において、ノートパソコンの仕様に合う各種の電子素子と周辺機器を利用し、パソコン本体の電子素子及び周辺機器とする。例えば、中央演算処理装置はＩＮＴＥＬ社によるＰｅｎｔｉｕｍ(登録商標)-Ｍプロセッサを利用し、メモリモジュールは、ノートパソコン専用の小型デュアルインラインメモリモジュール（ＤＤＲ２ ＳＯＤＩＭＭ（Ｄｏｕbｌｅ Ｄaｔa Ｒaｔｅ Ｓmall-Ｏｕｔｌｉｎｅ Ｄｕaｌ Ｉｎｌｉｎｅ Ｍｅmｏｒｙ Ｍｏdｕｌｅ））を利用し、ハードディスクはノートパソコン専用の２.５インチ小型ハードディスクを利用し、光ディスク装置にはノートパソコン専用の薄型光ディスク装置（Ｓｌｉm ｔｙpｅ ＣＤ-ＲＯＭ、Ｓｌｉm ｔｙpｅ ＤＶＤ-ＲＯＭ、Ｓｌｉm ｔｙpｅ Ｃｏmbｏ）が利用されている。以下、本発明に係る具体な実施例において、各電子素子と周辺機器により実行される機能については、詳しく説明しない。
【００１１】
図１に示すように、本発明記載のパソコン本体体積を最小限に決める方法によれば、まず、このパソコン本体が用いる電子素子、周辺機器及び放熱デバイス（工程１００）を確定する。電子素子が中央演算処理装置と、ノースブリッジチップと、サウスブリッジチップと、メモリモジュールと、グラフィックチップと、音場チップと、ローカルエリアバスインターフェイスと、無線伝送モジュールと、ローカルエリアネットモジュールと、入出力ポートなどからなり、周辺機器がハードディスク、光ディスク装置などからなり、そして、その中の光ディスク装置１２と放熱デバイス１４を並列に設置させることで長さＬと幅Ｗとを規定する（工程２００、図２参照）。
【００１２】
その長さＬと幅Ｗとで構成される面積をメインボード１１のサイズとし（工程３００）、メインボード１１の面積によって中央演算処理装置と、ノースブリッジチップと、サウスブリッジチップと、メモリモジュールと、グラフィックチップと、音場チップと、無線伝送モジュールと、ローカルエリアネット伝送モジュールと、及び入出力ポートなどの電子素子を配置する（工程４００）。前記の電子素子において、中央演算処理装置が放熱デバイスの位置に対応して配置され、最高の電子素子が光ディスク装置の位置に対応して配列される。具体的な実施例において、メモリモジュールはデュアルＳＯＤＩＭＭソケットが利用されており、二つのソケットは重ね合わせてメモリを挿入する際、その高さはメインボードにおける他の電子素子より高く、メモリモジュール１１２と光ディスク装置１２が直列に配置されていることで、高さＨが規定される（工程５００、図３参照）。更に、その長さＬと、幅Ｗと高さＨとのサイズ関係によって、本体ケースをデザインする（工程６００）。本体ケースは、パソコン本体を構成する電子素子及びその周辺装置すべてを収納でき、体積最小化のパソコン本体が実現する。
【００１３】
図４に本発明のメインボードの配置関係図を示す。工程２００において、光ディスク装置１２と放熱デバイス１４とを並列に設置させることにより規定されるメインボード１１の面積に、各種の電子素子のレイアウトを配置し、この面積における、メインボード１１を六つのエリアＡ１、Ａ２、Ａ３、Ａ４、Ａ５、Ａ６に画分する。そのうちメモリモジュール１１２をエリアＡ１に、ノースブリッジチップ１１３をエリアＡ２に、中央演算処理装置１１１をエリアＡ３に、ローカルエリアバスインターフェイス１１４（Ｍｉｎｉ Ｐｅｒｉpｈｅｒａｌ Ｃｏｍpｏｎｅｎｔ Ｉｎｔｅｒcｏｎｎｅｃｔ、Ｍｉｎｉ ＰＣＩ）をエリアＡ４に、サウスブリッジチップ１１５をエリアＡ５に、ローカルエリアネットモジュール１１６をエリアＡ６に配置する。エリアＡ３、Ａ６のエッジに多数の各種仕様の入出力ポート１１７が設けられ、エリアＡ２、Ａ５とエリアＡ３、Ａ６の間に、接続インターフェイス１７が設けられ、ほかの電子素子及びチップは前記の主要素子の周辺に配置されている。
【００１４】
引き続き、「図５、６」に本発明記載のパソコン本体の具体的な実施例を示す。そのうちパソコン本体１０はメインボード１１と、光ディスク装置１２と、ハードディスク１３と、放熱デバイス１４及び本体ケース１５を少なくとも含む。メインボード１１における電子素子は、「図４」のような配置態様であり、放熱デバイス１４は、タービンファン１４１及びダクトカバー１４２を含有し、放熱デバイス１４は中央演算処理装置１１１に対応して設置され、ダクトカバー１４２は金属材質から構成され、中央演算処理装置１１１に貼り付けられる。ダクトカバー１４２は吸気口１４２１及び放出口１４２２を少なくとも具有し、タービンファン１４１はダクトカバー１４２の吸気口１４２１に対応して設置され、中央演算処理装置１１１は作動の際に発生する熱エネルギーとダクトカバー１４２との熱伝達を実行し、タービンファン１４１は、吸気口１４２１から空気を吸込み、そしてダクトカバーとの熱エネルギーの熱交換をすると共に、放出口１４２２に排出する。
【００１５】
メインボードに対応するエリアＡ１、Ａ２、Ａ４、Ａ５には、このエリアＡ１、Ａ２、Ａ４、Ａ５の面積とほぼ同等の支持台１６が設置されている。支持台１６は、高さを区別するため、高さが少なくともメモリモジュール１１２より高い複数の足部１６１が含まれる。支持台１６の下には、ハードディスク収納部１６２が設けられる。ハードディスク収納部１６２は、メインボードのエリアＡ４に対応するハードディスク１３を備える。エリアＡ４におけるメインボード１１の電子素子の高さが低いので、ハードディスク１３をこの位置に設置することができ、並びにメインボード１１に直立する接続インターフェイス１７に電気的に接続されている。又、支持台１６の上方は、光ディスク装置収納部１６３であり、光ディスク装置収納部１６３は、光ディスク装置１２が設置される場所である。また、メインボード１１に直立する接続インターフェイス１７に電気的に接続されている。
【００１６】
本体ケース１５は、上カバー１５１及び下ケース１５２が含まれ、下ケース１５２がほぼメインボード１１の面積よりも大きく、下ケース１５２の周囲に側壁１５２１、１５２２、１５２３、１５２４が直立されており、そのため、下ケース１５２に上向きに開口している収納空間が形成されている。側壁１５２１をパソコン本体１０の前端とし、そして少なくとも一つの電源ボタン１１９が設置される。側壁１５２２をパソコン本体１０の後端とし、メインボード１１における入出力ポート１１７に対応するように、複数の貫通孔１５２５が開設される。また、側壁１５２３に少なくとも放熱デバイス１４に対応する排出口１５２６及び排出口１５２６に対応する他側の入り込み口１５２７が設置されている。なお、側壁１５２４は、入り込み口１５２７に対応する箇所にも入り込み口１５２８が設置されている。上カバー１５１と下ケース１５２の高さを少なくともメインボード１１と、メモリモジュール１１２と光ディスク装置１２との合計高さよりも高くする。それに、側壁１５２１に対応する箇所に光ディスク出口１５１１が設けられている。光ディスク出口１５１１も光ディスク装置１２に対応して、CD（図では示さず）を光ディスク出口１５１１から光ディスク装置１２に入れる。又、上カバー１５１は、下ケース１５２にマッチングし、摺動できるように下ケース１５２の上に結合し、「図６、７、８Ａ、８Ｂ」に示すように、その中では、上カバー１５１の長辺の内側に逆Ｌ状であって上カバー１５１外に延びる複数の結合柱１５１２を備えており、結合柱１５１２の端末に、係合部１５１３を構成しており、上カバー１５１の幅方向の端に複数のナットホール柱１５１４が設けられ、ナットホール柱１５１４の上にナットホール1514aが設けられている。なお、下ケース１５２の側壁１５２３、１５２４の頂縁内側に、結合柱１５１２に対応する複数の結合部１５２９が設置されていると共に、側壁１５２２にナットホール柱１５１４に対応するナットホール１５２９aが設置されている。更に、「図８Ａ、８Ｂ」及び「図９」に示すように、上カバー１５１を下ケース１５２の上方に対応させると共に、下ケース１５２とある距離ずれさせ、即ち、係合部１５１３を結合部１５２９とずれさせる。上カバー１５１で下ケース１５２を覆い、結合柱１５１２を下ケース１５２内に入り込ませると共に、係合部１５１３を結合部１５２９に対応させる。そして、下ケース１５２を覆うように、上カバー１５１を下ケース１５２の上に水平に摺動させると共に、係合部１５１３を結合部１５２９内に挿入し、それによって、上カバー１５２が前後方向及び上下方向に自由に移動することが制限され、また、この位置で、上カバー１５１のナットホール１５１４aは下ケース１５２のナットホール１５２９aに対応し、ネジ１８で下ケース１５２のナットホール１５２９aから上カバー１５１のナットホール１５１４aに止められることにより、上カバー１５１は左右方向での自由移動が制限され、上カバー１５１が下ケース１５２に固定されるようになる。
【００１７】
「図２、３、６」に再度示すように、本発明記載のパソコン本体体積を最小限に決める方法及びその方法を応用したパソコン本体によれば、本発明は、ノートパソコンの仕様に合う中央演算処理装置、メモリモジュール、放熱デバイス及び光ディスク装置などの電子素子及び周辺機器を採用し、パソコン本体の構成部件とし、そして、光ディスク装置と放熱デバイスとを並列させることによって、パソコン本体の長さと幅を規定すると共に、メモリモジュールと光ディスク装置とを直列させることによって、パソコン本体の高さを規定する。この長さと、幅と、高さとのサイズ関係に応じて、やや大きい本体ケースをデザインし、収納可能なメインボード、各種の電子素子及び周辺機器を決める。具体的な実施例において、パソコン本体は、約Ｌ２２.６・Ｗ１７.２・Ｈ４.２（ＣＭ）である。
【００１８】
なお、パソコン本体１０の放熱部分について、パソコン本体１０は、下ケース１５２の入り込み口１５２７、１５２８によって外部の冷空気を導入し、それが対応する支持台１６にある電子素子及び光ディスク装置１２、ハードディスク１３は隙間があり、放熱デバイス１４におけるタービンファン１４１に吸気口１４２１から冷空気を吸込ませることができ、中央演算処理装置１１１による熱エネルギーとの熱交換をすることができる。そして、放出口１４２２により排出口１５２６から熱を排出させ、小型のパソコン本体１０の放熱問題が解決できる。
【００１９】
尚、本発明記載のパソコン本体１０によれば、パソコンのほか、エンターテインメント性のあるホームシアター本体として利用でき、例えば、本発明はエリアＡ３、Ａ６のエッジに設置された多数の各種仕様の入出力ポート１１７などが、テレビ信号端子、ブルートゥース無線モジュール（Ｂｌｕｅ ｔｏｏｔｈ）、デジタルディスプレイインタフェース（Ｄｉgｉｔａｌ Ｖｉｓｕａｌ Ｉｎｔｅｒｆａｃｅ (ＤＶＩ)）、無線ネットモジュール（Ｗｉｒｅｌｅｓｓ ＬＡＮ）、映像信号専用入出力インターフェイス（Ｓ-ＶｉＤｅｏ）、ユニバーサル・シリアル・バス（ＵＳＢ）などを含んでいることにより、本発明は、テレビ信号端子によって有線テレビ信号を受信したり、ブルートゥースモジュールによって音響本体の信号を受信したり、映像信号専用入出力インターフェイスによって液晶ディスプレイ又は平面テレビなどを外接し、各種マルチメディアの応用となる。
【００２０】
本発明は前記の好適な実施例のように記載されたが、本発明を制限するものではない。この分野をよく熟知するものが本発明の精神から外れない範囲において、変更と修正とを適宜にしても良く、本発明にある特許請求範囲は本明細書により限定される請求項を準じる。
【図面の簡単な説明】
【００２１】
【図１】本発明の方法のフローチャートである。
【図２】本発明の長さと幅とを決める概略図である。
【図３】本発明の高さを決める概略図である。
【図４】本発明に係るメインボードの配置の概略図である。
【図５】本発明に係る構造分解の概略図である。
【図６】本発明に係る本体ケース構造分解の概略図である。
【図７】本発明に係る本体ケースの一部構造の概略図である。
【図８Ａ】本発明に係る本体ケース結合動作の第一の概略図である。
【図８Ｂ】本発明に係る本体ケース結合動作の第二の概略図である。
【図９】本発明の構造の概略図である。
【符号の説明】
【００２２】
１０  パソコン本体
１１  メインボード
１１１  中央演算処理装置
１１２  メモリモジュール
１１３  ノースブリッジチップ
１１４  ローカルエリアバスインターフェイス
１１５  サウスブリッジチップ
１１６  ローカルエリアネットモジュール
１１７  入出力ポート
１１９  電源ボタン
１２  光ディスク装置
１３  ハードディスク
１４  放熱デバイス
１４１  タービンファン
１４２  ダクトカバー
１４２１  吸気口
１４２２  放出口  
１５  本体ケース
１５１  上カバー
１５２  下カバー
１５１１  光ディスク出口
１５１２  結合柱
１５１３  係合部
１５１４  ナットホール柱
１５１４a  ナットホール
１５２１、１５２２、１５２３、１５２４  側壁
１５２５  貫通孔
１５２６  排出口
１５２７  入り込み口
１５２８  入り込み口
１５２９  結合部
１５２９a  ナットホール
１６  支持台
１６１  足部
１６２  ハードディスク収納部
１６３  光ディスク装置収納部
１７  接続インターフェイス
１８  ネジ
【図１】
2007102758.tif 000003
【図２】
2007102758.tif 000004
【図３】
2007102758.tif 000005
【図４】
2007102758.tif 000006
【図５】
2007102758.tif 000007
【図６】
2007102758.tif 000008
【図７】
2007102758.tif 000009
【図８Ａ】
2007102758.tif 000010
【図８Ｂ】
2007102758.tif 000011
【図９】
2007102758.tif 000012